(57)【要約】【課題】同一あるいは異なる動線の交錯を低減し、また荷役車両によって生じる安全性・環境・衛生上の問題発生を抑え、また床上動線の分断や平面スペースの圧迫を回避する。【解決手段】複数階を有する施設１００内の１階１０１の天井から吊り下げて設けてあって横方向の搬送を行う横搬送装置１と、天井下の床面１０１ａと横搬送装置１との間に渡って上下方向の搬送を行う複数の第一上下搬送部２１、および２階１０２の床面１０２ａと横搬送装置１との間に渡って上下方向の搬送を行う複数の第二上下搬送部２２を有した上下搬送装置２とを備える。すなわち、１階１０１の床面１０１ａにおいては、被搬送物を近くの第一上下搬送部２１に送り、この第一上下搬送部２１から床面１０１ａを通さず横搬送装置１で横方向に搬送を行い、さらに第二上下搬送部２２によって２階１０２の床面１０２ａに搬送する。【選択図】        図１
2007331898.tif 000002
【特許請求の範囲】
【請求項１】
施設内の天井から吊り下げて設けてあって横方向の搬送を行う横搬送装置と、
前記天井下の床面と横搬送装置との間に渡って上下方向の搬送を行う上下搬送部を複数有した上下搬送装置と
を備えたことを特徴とする施設内搬送設備。
【請求項２】
複数階を有する施設内の所定階の天井から吊り下げて設けてあって横方向の搬送を行う横搬送装置と、
前記天井下の床面と横搬送装置との間に渡って上下方向の搬送を行う複数の第一上下搬送部、および所定階の上階の床面と前記横搬送装置との間に渡って上下方向の搬送を行う複数の第二上下搬送部を有した上下搬送装置と
を備えたことを特徴とする施設内搬送設備。
【請求項３】
前記上下搬送装置は、各第二上下搬送部に対して所定の第一上下搬送部を連通して設けてあることを特徴とする請求項２に記載の施設内搬送設備。
【請求項４】
前記横搬送装置は、床面の範囲内で循環した搬送を行う循環搬送部、および当該循環搬送部から分岐して上下搬送装置に繋がる入出搬送部を有してなることを特徴とする請求項１〜３のいずれか一つに記載の施設内搬送設備。
【請求項５】
前記横搬送装置に連通した入庫口および出庫口を有して、入庫口から入庫した被搬送物を収容しつつ、収容した被搬送物を出庫口から出庫する立体自動保管庫を備えたことを特徴とする請求項１〜４のいずれか一つに記載の施設内搬送設備。
【発明の詳細な説明】
【技術分野】
【０００１】
本発明は、集荷・荷捌・出荷などを行う施設において適用される施設内搬送設備に関するものである。
【背景技術】
【０００２】
例えば卸売市場などの施設においては、集荷した商品を荷捌して出荷を行う。一般に集荷される商品は、１０ｔトラックなどによってまとめて施設に入荷される。そして集荷された商品は、荷捌されて各出荷場所宛てに分けられる。そして荷捌された商品は、４ｔトラックなどに荷積されて各場所に出荷される。ここで、集荷時に１０ｔトラックなどから商品を荷下ろしする際、商品を荷捌する際、および荷捌された商品を４ｔトラックなどに荷積する際には、商品の搬送にフォークリフトなどの荷役車両が用いられる。また、集荷時に１０ｔトラックなどから商品を荷下ろしする際、商品を荷捌する際、および荷捌された商品を４ｔトラックなどに荷積する際には、人による確認作業が含まれる。このため、荷役車両の動線同士、人の動線同士、あるいは荷役車両と人との動線が交錯することになるので作業効率が悪くなる。特に、荷役車両と人との動線の交錯は、安全性の上で問題がある。また、商品の搬送に荷役車両を多用すると、車両ガスによる環境問題、および商品が食品である場合に衛生上の問題がある。
【０００３】
なお、従来、卸売市場施設として、入荷した商品を一時的に保管する倉庫を施設の一端側に配置し、競り室を施設の他端側ないし中央部に配置し、搬送装置を倉庫と競り室との間に設けてその両側となる施設の側部に荷捌ゾーンを配置したものがある。これにより、入荷した商品は、一旦倉庫に保管され、この倉庫から搬送装置によって競り室や荷捌きゾーンに搬送される。このため、搬送装置を介在したことで施設内における商品の保管と搬送とを効率的かつ自動的に行うことが可能であり、商品と人との動線が交錯することを回避し、この種の施設の平面計画として有効である（例えば、特許文献１参照）。
【０００４】
【特許文献１】特開平１０−２２００４０号公報
【発明の開示】
【発明が解決しようとする課題】
【０００５】
しかし、上述した従来技術では、入荷した全ての商品を集荷して一時的に倉庫に保管している。このため、入荷した商品を荷下ろしして倉庫に保管するためのスペースが集約され、かつこのスペースにおいて商品を荷下ろしして倉庫へ保管する間では荷役車両が用いられることになる。この結果、倉庫前のスペースにおいて、商品を入荷するトラック・荷役車両・人が集まるので各動線が交錯することになる。
【０００６】
また、上述した従来技術では、入荷した全ての商品を集荷して一時的に倉庫に保管している。しかし、直ちに荷捌する必要がある商品までも倉庫に送られてしまうため、倉庫から荷捌ゾーンに商品を出すまで余分な時間を要することになる。
【０００７】
さらに、上述した従来技術では、同一平面上において、倉庫・競り室・荷捌ゾーンを周囲に置くように搬送装置が中央に設置してある。このため、床上での動線が分断されて、倉庫・競り室・荷捌ゾーンのそれぞれの間での移動が困難になり、かつ同一平面上のスペースが限られて圧迫されることになる。
【０００８】
本発明は、上記実情に鑑みて、同一あるいは異なる動線の交錯を低減することができ、また荷役車両によって生じる安全性・環境・衛生上の問題発生を抑えることができ、また床上動線の分断や平面スペースの圧迫を回避することができ、また一時保管機能を有する一方で迅速かつ円滑な搬送をも行うことができる施設内搬送設備を提供することを目的とする。
【課題を解決するための手段】
【０００９】
上記の目的を達成するために、本発明の請求項１に係る施設内搬送設備は、施設内の天井から吊り下げて設けてあって横方向の搬送を行う横搬送装置と、前記天井下の床面と横搬送装置との間に渡って上下方向の搬送を行う上下搬送部を複数有した上下搬送装置とを備えたことを特徴とする。
【００１０】
また、本発明の請求項２に係る施設内搬送設備は、複数階を有する施設内の所定階の天井から吊り下げて設けてあって横方向の搬送を行う横搬送装置と、前記天井下の床面と横搬送装置との間に渡って上下方向の搬送を行う複数の第一上下搬送部、および所定階の上階の床面と前記横搬送装置との間に渡って上下方向の搬送を行う複数の第二上下搬送部を有した上下搬送装置とを備えたことを特徴とする。
【００１１】
また、本発明の請求項３に係る施設内搬送設備は、上記請求項２において、前記上下搬送装置は、各第二上下搬送部に対して所定の第一上下搬送部を連通して設けてあることを特徴とする。
【００１２】
また、本発明の請求項４に係る施設内搬送設備は、上記請求項１〜３のいずれか一つにおいて、前記横搬送装置は、床面の範囲内で循環した搬送を行う循環搬送部、および当該循環搬送部から分岐して上下搬送装置に繋がる入出搬送部を有してなることを特徴とする。
【００１３】
また、本発明の請求項５に係る施設内搬送設備は、上記請求項１〜４のいずれか一つにおいて、前記横搬送装置に連通した入庫口および出庫口を有して、入庫口から入庫した被搬送物を収容しつつ、収容した被搬送物を出庫口から出庫する立体自動保管庫を備えたことを特徴とする。
【発明の効果】
【００１４】
本発明に係る施設内搬送設備は、施設内の天井から吊り下げて設けてあって横方向の搬送を行う横搬送装置と、前記天井下の床面と横搬送装置との間に渡って上下方向の搬送を行う上下搬送部を複数有した上下搬送装置とを備えている。このため、床面においては、被搬送物を近くの上下搬送部に送り、この上下搬送部から床面上を通さず横搬送装置で横方向に搬送を行って他の上下搬送部によって床面に戻すことになる。この結果、床面上のみの搬送と比較して、床面上の搬送の動線が短くなるので、フォークリフトなどの荷役車両の動線同士、人の動線同士、あるいは荷役車両と人との動線の交錯を防止することができる。さらに、床面上の搬送の動線が短くなるので、フォークリフトなどの荷役車両の動線が短くなる。よって、荷役車両によって生じる安全性・環境・衛生上の問題を解消して、安全性を向上することができ、さらに排ガス量を低減することで環境を向上するとともに施設を清潔に保つことができる。また、天井から吊り下げた横搬送装置を用いたことで、床面での床上動線の分断や平面スペースの圧迫を回避することができる。
【００１５】
また、本発明に係る施設内搬送設備は、複数階を有する施設内の所定階の天井から吊り下げて設けてあって横方向の搬送を行う横搬送装置と、前記天井下の床面と横搬送装置との間に渡って上下方向の搬送を行う複数の第一上下搬送部、および所定階の上階の床面と横搬送装置との間に渡って上下方向の搬送を行う複数の第二上下搬送部を有した上下搬送装置とを備えている。このため、所定階の床面においては、被搬送物を近くの第一上下搬送部に送り、この第一上下搬送部から床面を通さず横搬送装置で横方向に搬送を行い、さらに第二上下搬送部によって上階の床面に搬送することになる。この結果、所定階の床面および上階の床面を有効に活用することができる。また、床面上のみの搬送と比較して、床面上の搬送の動線が短くなるので、フォークリフトなどの荷役車両の動線同士、人の動線同士、あるいは荷役車両と人との動線の交錯を防止することができる。さらに、床面上の搬送の動線が短くなるので、フォークリフトなどの荷役車両の動線が短くなる。よって、荷役車両によって生じる安全性・環境・衛生上の問題を解消して、安全性を向上することができ、さらに排ガス量を低減することで環境を向上するとともに施設を清潔に保つことができる。また、天井から吊り下げた横搬送装置１を用いたことで、床面１０１ａでの床上動線の分断や平面スペースの圧迫を回避することができる。
【００１６】
また、上下搬送装置は、各第二上下搬送部に対して所定の第一上下搬送部を連通して設けてある。このため、横搬送装置を介さずに所定階と上階との間の搬送を行うことが可能になる。この結果、迅速かつ円滑な搬送を行うことができる。
【００１７】
また、横搬送装置は、床面の範囲内で循環した搬送を行う循環搬送部、および当該循環搬送部から分岐して上下搬送装置に繋がる入出搬送部を有してなる。この結果、循環搬送部の搬送ラインを保管仮置きバッファとして利用することが可能であり、空間を有効に利用することができる。
【００１８】
また、横搬送装置に連通した入庫口および出庫口を有して、入庫口から入庫した被搬送物を収容しつつ、収容した被搬送物を出庫口から出庫する立体自動保管庫を備えた。この結果、商品を一時的に保管することができる。
【発明を実施するための最良の形態】
【００１９】
以下に添付図面を参照して、本発明に係る施設内搬送設備の好適な実施の形態を詳細に説明する。なお、この実施の形態によりこの発明が限定されるものではない。
【００２０】
図１は本発明に係る施設内搬送設備を示す斜視図、図２は図１に示す施設内搬送設備の側面視概略図、図３は図１に示す施設内搬送設備の１階の上下搬送装置を示す平面視概略図、図４は図１に示す施設内搬送設備の横搬送装置および上下搬送装置を示す平面視概略図、図５は図１に示す施設内搬送設備の２階の上下搬送装置を示す平面視概略図である。なお、図１では、便宜上、施設の各階および施設内搬送設備を分解して示してある。
【００２１】
図１および図２に示すように本実施の形態で例示する施設１００は、複数階（本実施の形態では２階）を有する建物からなる。施設１００の１階１０１は、その床面１０１ａの周囲を施設１００の外部に開放可能に構成してある。図１〜図３に示すように施設１００の外部であって床面１０１ａの周囲には、大型運搬車両（例えば１０ｔトラックなど）Ｃ１が横付け停車できるように構成してある。すなわち、１階１０１では、その周囲で施設１００に入荷される商品（被搬送物）の荷下ろしが行われる。また、図１、図２および図５に示すように施設１００の２階１０２は、その床面１０２ａに小型運搬車両（例えば４ｔトラックなど）Ｃ２が直接乗り入れできるように構成してある。すなわち、２階１０２では、商品（被搬送物）の荷積が行われる。なお、図には明示ないが、施設１００には、２階１０２への小型運搬車両Ｃ２の出入りを行うためのスロープが設けてある。
【００２２】
上記施設１００には、本発明に係る施設内搬送設備が設けてある。施設内搬送設備は、横搬送装置１、上下搬送装置２および立体自動保管庫３を備えている。
【００２３】
図１および図２に示すように横搬送装置１は、所定階（本実施の形態では１階１０１）に設けてある。この横搬送装置１は、施設１００の１階１０１の天井の大梁から支持材１０を介して吊り下げて設けてあって、当該１階１０１の床面１０１ａに沿って横方向に商品の搬送を行うコンベヤ式のものである。図４に示すように横搬送装置１は、循環搬送部１１と、入出搬送部１２とを有している。
【００２４】
循環搬送部１１は、商品の循環搬送を行うものであって、図４において右回りに循環する右循環搬送部１１１と、左回りに循環する左循環搬送部１１２とで主に構成してある。右循環搬送部１１１は外回りに設けてあり、左循環搬送部１１２は内回りに設けてある。また、循環搬送部１１には、右循環搬送部１１１と左循環搬送部１１２と互いに連結する連結搬送部１１３が複数設けてある。さらに、循環搬送部１１のほぼ中央部には、内回りに循環する左循環搬送部１１２の中間部を繋ぐ中間搬送部１１４が設けてある。この中間搬送部１１４は、搬送方向が相互に逆向きで対をなして設けてあり、上記連結搬送部１１３と協働することで、右循環搬送部１１１の中間部、および左循環搬送部１１２の中間部をそれぞれ繋ぐ態様で設けてある。またさらに、循環搬送部１１は、外回りに循環する右循環搬送部１１１の外側に膨出して当該右循環搬送部１１１を延長する態様で延長搬送部１１５が設けてある。なお、本実施の形態では、右循環搬送部１１１が外回りに設けてあり、左循環搬送部１１２が内回りに設けてあるが、その逆に右循環搬送部１１１を内回りに、左循環搬送部１１２を外回りに設けてもよい。
【００２５】
入出搬送部１２は、上下搬送装置２と横搬送装置１との間で商品を搬送するためのものであって、搬出搬送部１２１と、搬入搬送部１２２とで構成してある。搬出搬送部１２１は、横搬送装置１から上下搬送装置２に商品を搬送する態様で、外回りに設けた右循環搬送部１１１と上下搬送装置２との間を接続して設けてある。搬入搬送部１２２は、上下搬送装置２から横搬送装置１に商品を搬送する態様で、内回りに設けた左循環搬送部１１２と上下搬送装置２との間を接続して設けてある。なお、本実施の形態では、搬出搬送部１２１が外回りに設けた右循環搬送部１１１に接続して設けてあり、搬入搬送部１２２が内回りに設けた左循環搬送部１１２に接続して設けてあるが、その逆に搬出搬送部１２１を左循環搬送部１１２に、搬入搬送部１２２を右循環搬送部１１１に接続して設けてもよい。また、入出搬送部１２の搬出搬送部１２１および搬入搬送部１２２は、立体自動保管庫３と横搬送装置１との間においても商品を搬送する。すなわち、搬出搬送部１２１は、横搬送装置１から立体自動保管庫３に商品を搬送する態様で、外回りに設けた右循環搬送部１１１と立体自動保管庫３との間を接続して設けてある。搬入搬送部１２２は、立体自動保管庫３から横搬送装置１に商品を搬送する態様で、外回りに設けた右循環搬送部１１１と立体自動保管庫３との間を接続して設けてある。
【００２６】
なお、図には明示しないが横搬送装置１の所要箇所であって、循環搬送部１１、入出搬送部１２、循環搬送部１１から入出搬送部１２への分岐部分などには、後述する識別情報を読み取る読取手段（バーコードリーダ）が設置してある。
【００２７】
図１〜図５に示すように上下搬送装置２は、各階１０１，１０２および横搬送装置１に設けてあって、各階１０１，１０２と横搬送装置１との間で上下方向に商品の搬送を行うエレベータ式のものである。上下搬送装置２は、第一上下搬送部２１と、第二上下搬送部２２とを有している。
【００２８】
第一上下搬送部２１は、１階（所定階）１０１の床面１０１ａと横搬送装置１との間に渡って上下方向に商品の搬送を行うものである。第一上下搬送部２１は、図３に示すように１階１０１側では、床面１０１ａの外周近傍に沿って複数個配置してあり、本実施の形態では１３個（符号２１Ａ〜２１Ｍ）配置してある。また、第一上下搬送部２１には、１階１０１の床面１０１ａにおいて、共通の入出口部の位置に当該入出口部に対して商品の入出搬送を行うコンベア式の補助搬送部２１１が設けてある。また、第一上下搬送部２１は、図４に示すように横搬送装置１側では、右循環搬送部１１１と左循環搬送部１１２との間に設けてあって、入出搬送部１２において１対とした搬出搬送部１２１に入口部を連通し、かつ搬入搬送部１２２に出口部を連通して設けてある。
【００２９】
第二上下搬送部２２は、横搬送装置１と２階１０２（所定階の上階）の床面１０２ａとの間に渡って上下方向に商品の搬送を行うものである。第二上下搬送部２２は、図５に示すように２階１０２側では、床面１０２ａに複数個配置してあり、本実施の形態では４個（符号２２Ａ〜２２Ｄ）配置してある。また、第二上下搬送部２２には、２階１０２の床面１０２ａにおいて、共通の入出口部の位置に当該入出口部に対して商品の入出搬送を行うコンベア式の補助搬送部２２１が設けてある。また、第二上下搬送部２２は、図４に示すように横搬送装置１側では、右循環搬送部１１１と左循環搬送部１１２との間に設けてあって、入出搬送部１２において１対とした搬出搬送部１２１に入口部を連通し、かつ搬入搬送部１２２に出口部を連通して設けてある。ところで、第二上下搬送部２２は、所定の第一上下搬送部２１に連通して設けてある。具体的には、第二上下搬送部２２Ａは第一上下搬送部２１Ｆに、第二上下搬送部２２Ｂは第一上下搬送部２１Ｇに、第二上下搬送部２２Ｃは第一上下搬送部２１Ｈに、第二上下搬送部２２Ｄは第一上下搬送部２１Ｉに連通して設けてある。すなわち、第二上下搬送部２２Ａ〜２２Ｄは、所定の第一上下搬送部２１Ｆ〜２１Ｉに連通し、１階１０１の床面１０１ａと、２階１０２の床面１０２ａとの間に渡って上下方向に商品の搬送をも行う。
【００３０】
なお、上下搬送装置２は、第三上下搬送部２３を有している。第三上下搬送部２３は、１階１０１の床面１０１ａと、２階１０２の床面１０２ａとの間に渡って上下方向に商品の搬送を行うものであって、１階１０１側および２階１０２側において、立体自動保管庫３の入出庫口の近傍に配置してある。この第三上下搬送部２３は、横搬送装置１側には連通していない。
【００３１】
なお、図には明示しないが上下搬送装置２における第一上下搬送部２１の各補助搬送部２１１には、後述する識別情報を読み取る読取手段（バーコードリーダ）が設置してある。
【００３２】
立体自動保管庫３は、少なくとも施設１００の１階１０１から２階１０２に渡って設けてあり、その内部において上下および横方向に商品（被搬送物）を複数整列して収容するものである。立体自動保管庫３は、１階１０１の床面１０１ａと、２階１０２の床面１０２ａと、横搬送装置１とに連通した入庫口および出庫口を有している。立体自動保管庫３は、入庫口から入庫した商品を内部に収容し、この収容した商品を出庫口から出庫する。１階１０１および２階１０２側において、入庫口および出庫口には、それぞれ床面１０１ａ，１０２ａに対して連通したコンベア式の補助搬送部３１が設けてある。また、横搬送装置１側において、入庫口には搬出搬送部１２１が連通して設けてあり、出庫口には搬入搬送部１２２が連通して設けてある。また、立体自動保管庫３は、保冷機能を有している。具体的には、上下および横方向に商品を搬送する立体搬送機構の周囲が断熱壁で覆われており、さらに断熱壁で覆った内部の空調を行う空調機が設けてある。
【００３３】
なお、図には明示しないが立体自動保管庫３の入庫口には、後述する識別情報を読み取る読取手段（バーコードリーダ）が設置してある。
【００３４】
以下、上述した施設内搬送設備における商品（被搬送物）の搬送について説明する。ここでは、施設１００を青果・花卉・鮮魚などの卸売市場として用いた場合を説明する。なお、本実施の形態における卸売市場では、競りを行わず予め取引が行われて売り先が決まっており、各産地から入荷した商品（被搬送物）を売り先向けに出荷するものを想定している。
【００３５】
各産地から大型運搬車両Ｃ１によって運搬された商品が１階１０１の床面１０１ａに荷下ろしされる。大型運搬車両Ｃ１は、１階１０１の床面１０１ａの周囲に沿って停車し、そこで商品の荷下ろしが行われることになる。
【００３６】
荷下ろしされた商品は、出荷先ごとに仕分けされてパレット（図示せず）の上に載せられる。パレットには、例えばバーコードなどの識別情報が付与された識別ラベルが貼られている。パレットに載せられる商品は、商品の種類、商品の個数、出荷先、施設１００内での搬送先となる第二上下搬送部２２（２２Ａ〜２２Ｄ）の宛先場号などの商品情報が確認されて納品され、この納品時に商品情報が携帯端末によって入力される。さらに携帯端末によって識別情報を入力して、この識別情報に商品情報を関連付けさせる。これにより、パレットに載せられた商品を判別することができるようになる。なお、携帯端末によって入力された商品情報および識別情報は、図示しないホストコンピュータに送信されて記録される。
【００３７】
商品は、パレットに載せられた状態で、上下搬送装置２の第一上下搬送部２１に送られる。上述したように商品は、１階１０１の床面１０１ａの周囲で荷下ろしされる。そして、そこから最も近い第一上下搬送部２１に送られることになる。ここでは、フォークリフトなどの荷役車両が用いられるが、床面１０１ａの周囲から最も近い第一上下搬送部２１への搬送であるため、荷役車両の動線は短く、かつ当該動線は決められた往復の動線であるため人の動線と交錯することはない。そして、第一上下搬送部２１に送られたパレット（商品）は、補助搬送部２１１に設置した読取手段によって識別情報が読み取られることで、この識別情報がホストコンピュータに送信されて記録される。すなわち、ホストコンピュータでは、どの商品がどの第一上下搬送部２１に送られたかを管理する。
【００３８】
ここで、商品が送られた第一上下搬送部２１が、第二上下搬送部２２に連通したものであり、かつ当該第二上下搬送部２２が搬送先であって、直ぐに出荷が可能な場合には、第一上下搬送部２１から第二上下搬送部２２を介してパレット（商品）を２階１０２に直接搬送する。２階１０２では、第二上下搬送部２２から商品を出す。この際、上述したようにパレット（商品）の識別情報が、第一上下搬送部２１の補助搬送部２１１に設置した読取手段によって読み取られていることから、ホストコンピュータでは、この識別情報の読み取りをもって商品が所定の第二上下搬送部２２から出されたことを記録する。搬送先の第二上下搬送部２２から出された商品は、２階１０２において小型運搬車両Ｃ２に荷積みされた後出荷される。ここでは、フォークリフトなどの荷役車両が用いられるが、予め決められた搬送先である第二上下搬送部２２からの搬送であるため、荷役車両の動線は短く、かつ当該動線は決められた往復の動線であるため人の動線と交錯することはない。
【００３９】
一方、商品が送られた第一上下搬送部２１が、第二上下搬送部２２に連通していないものである場合、または商品が送られた第一上下搬送部２１が、第二上下搬送部２２に連通しているが当該第二上下搬送部２２が搬送先ではない場合、あるいは、出荷先に共に出荷する他の商品が納品中であって直ぐに出荷が可能でない場合には、横搬送装置１にパレット（商品）を搬送する。この際、入出搬送部１２に設置した読取手段によって識別情報が読み取られることで、この識別情報がホストコンピュータに送信されて記録される。すなわち、ホストコンピュータでは、商品が横搬送装置１に搬送されたことを記録する。その後、横搬送装置１では、各所でパレットの識別情報を読み取りつつ、当該パレット（商品）を搬送先である第二上下搬送部２２に搬送する。この際、横搬送装置１の循環搬送部１１でパレット（商品）を循環搬送させることで、商品を保管仮置きすることになる。そして、搬送先の第二上下搬送部２２から出された商品は、２階１０２において小型運搬車両Ｃ２に荷積みされた後出荷される。
【００４０】
また、商品の保冷が必要である場合、または出荷先に共に出荷する他の商品が未だ施設１００に納品されていない場合には、商品を一時的に保管するために横搬送装置１によってパレット（商品）を立体自動保管庫３に搬送する。この際、立体自動保管庫３の入庫口に設置した読取手段によって識別情報が読み取られることで、この識別情報がホストコンピュータに送信されて記録される。すなわち、ホストコンピュータでは、商品が立体自動保管庫３に搬送されて保管（保冷）されていることを記録する。そして、立体自動保管庫３から商品を出す場合には、立体自動保管庫３から横搬送装置１に送られる。その後、横搬送装置１では、各所でパレットの識別情報を読み取りつつ、当該パレット（商品）を搬送先である第二上下搬送部２２に搬送する。そして、搬送先の第二上下搬送部２２から出された商品は、２階１０２において小型運搬車両Ｃ２に荷積みされた後出荷される。
【００４１】
なお、本実施の形態では、第二上下搬送部２２に読取手段を設置せず、第二上下搬送部２２に搬送する直前において第一上下搬送部２１の補助搬送部２１１に設置した読取手段、または横搬送装置１の入出搬送部１２に設置した読取手段によってパレット（商品）の識別情報を読み取ることで商品が第二上下搬送部２２から出されたことをホストコンピュータで記録する。このように、第二上下搬送部２２に読取手段を設置しないことでコストの低減を図っている。しかし、第二上下搬送部２２の補助搬送部２２１に読取手段を設置し、この読取手段でパレット（商品）の識別情報を読み取ることで、商品が第二上下搬送部２２から出されたことをホストコンピュータで記録してもよい。
【００４２】
ところで、各産地から本施設１００に大型運搬車両Ｃ１によって運搬された商品（被搬送物）の一部を、同大型運搬車両Ｃ１によって他の施設（市場）に出荷する場合もある。この場合、１階１０１で荷積みされるため、搬送先が第一上下搬送部２１になる。すなわち、商品は、パレットに載せられた状態で、上下搬送装置２の第一上下搬送部２１に送られる。そして、第一上下搬送部２１から横搬送装置１にパレット（商品）を搬送する。その後、横搬送装置１では、各所でパレットの識別情報を読み取りつつ、当該パレット（商品）を搬送先である第一上下搬送部２１に搬送する。そして、搬送先の第一上下搬送部２１から出された商品は、１階１０１において大型運搬車両Ｃ１に荷積みされた後出荷される。
【００４３】
なお、立体自動保管庫３に保管してある商品を棚卸しする場合、または搬送装置１，２が稼働できない状態で立体自動保管庫３に保管してある商品を出荷する場合には、ホストコンピュータに指示をして２階１０２側の出庫口からパレット（商品）を出せばよい。
【００４４】
このように上述した施設内搬送設備は、施設１００内の天井から吊り下げて設けてあって横方向の搬送を行う横搬送装置１と、前記天井下の床面１０１ａと横搬送装置１との間に渡って上下方向の搬送を行う第一上下搬送部２１を複数有した上下搬送装置２とを備えている。このため、床面１０１ａにおいては、商品（被搬送物）を近くの上下搬送部２１に送り、この上下搬送部２１から床面１０１ａ上を通さず横搬送装置１で横方向に搬送を行って他の上下搬送部２１によって床面１０１ａに戻すことになる。この結果、床面１０１ａ上のみの搬送と比較して、床面１０１ａ上の搬送の動線が短くなるので、フォークリフトなどの荷役車両の動線同士、人の動線同士、あるいは荷役車両と人との動線の交錯を防止することが可能になる。さらに、床面１０１ａ上の搬送の動線が短くなるので、フォークリフトなどの荷役車両の動線が短くなる。よって、荷役車両によって生じる安全性・環境・衛生上の問題を解消して、安全性を向上することができ、さらに排ガス量を低減することで環境を向上するとともに施設１００を清潔に保つことができる。また、天井から吊り下げた横搬送装置１を用いたことで、床面１０１ａでの床上動線の分断や平面スペースの圧迫を回避することができる。
【００４５】
また、上述した施設内搬送設備は、複数階を有する施設１００内の１階（所定階）１０１の天井から吊り下げて設けてあって横方向の搬送を行う横搬送装置１と、前記天井下の床面１０１ａと横搬送装置１との間に渡って上下方向の搬送を行う複数の第一上下搬送部２１、および１階１０１の上階である２階１０２の床面１０２ａと横搬送装置１との間に渡って上下方向の搬送を行う複数の第二上下搬送部２２を有した上下搬送装置２とを備えている。このため、１階１０１の床面１０１ａにおいては、商品（被搬送物）を近くの第一上下搬送部２１に送り、この第一上下搬送部２１から床面１０１ａを通さず横搬送装置１で横方向に搬送を行い、さらに第二上下搬送部２２によって２階１０２の床面１０２ａに搬送することになる。この結果、１階１０１の床面１０１ａおよび２階１０２の床面１０２ａを有効に活用することが可能になる。また、床面１０１ａ，１０２ａ上のみの搬送と比較して、床面１０１ａ，１０２ａ上の搬送の動線が短くなるので、フォークリフトなどの荷役車両の動線同士、人の動線同士、あるいは荷役車両と人との動線の交錯を防止することが可能になる。さらに、床面１０１ａ，１０２ａ上の搬送の動線が短くなるので、フォークリフトなどの荷役車両の動線が短くなる。よって、荷役車両によって生じる安全性・環境・衛生上の問題を解消して、安全性を向上することができ、さらに排ガス量を低減することで環境を向上するとともに施設１００を清潔に保つことができる。また、天井から吊り下げた横搬送装置１を用いたことで、床面１０１ａでの床上動線の分断や平面スペースの圧迫を回避することができる。
【００４６】
また、上下搬送装置２は、各第二上下搬送部２２に対して所定の第一上下搬送部２１を連通して設けてある。このため、横搬送装置１を介さずに１階１０１と２階１０２との間の搬送を行うことが可能になる。この結果、迅速かつ円滑な搬送を行うことができる。
【００４７】
また、横搬送装置１は、床面の範囲内で循環した搬送を行う循環搬送部１１、および当該循環搬送部１１から分岐して上下搬送装置２に繋がる入出搬送部１２を有してなる。この結果、循環搬送部１１（延長搬送部１１５を含む）の搬送ラインを保管仮置きバッファとして利用することが可能であり、空間を有効に利用することができる。
【００４８】
また、横搬送装置１および床面１０１ａ，１０２ａに連通した入庫口および出庫口を有して、入庫口から入庫した商品（被搬送物）を収容しつつ、収容した商品を出庫口から出庫する立体自動保管庫３を備えた。この結果、商品を一時的に保管することが可能になる。特に立体自動保管庫３に空調機を設けることで、一時的に保管した商品の保冷や保温を行うことが可能になる。
【図面の簡単な説明】
【００４９】
【図１】本発明に係る施設内搬送設備を示す斜視図である。
【図２】図１に示す施設内搬送設備の側面視概略図である。
【図３】図１に示す施設内搬送設備の１階の上下搬送装置を示す平面視概略図である。
【図４】図１に示す施設内搬送設備の横搬送装置および上下搬送装置を示す平面視概略図である。
【図５】図１に示す施設内搬送設備の２階の上下搬送装置を示す平面視概略図である。
【符号の説明】
【００５０】
１    横搬送装置
１０    支持材
１１    循環搬送部
１１１    右循環搬送部
１１２    左循環搬送部
１１３    連結搬送部
１１４    中間搬送部
１１５    延長搬送部
１２    入出搬送部
１２１    搬出搬送部
１２２    搬入搬送部
２    上下搬送装置
２１（２１Ａ〜２１Ｍ）    第一上下搬送部
２１１    補助搬送部
２２（２２Ａ〜２２Ｄ）    第二上下搬送部
２２１    補助搬送部
２３    第三上下搬送部
３    立体自動保管庫
３１    補助搬送部
１００    施設
１０１    １階
１０１ａ    床面
１０２    ２階
１０２ａ    床面
Ｃ１    大型運搬車両
Ｃ２    小型運搬車両
【図１】
2007331898.tif 000003
【図２】
2007331898.tif 000004
【図３】
2007331898.tif 000005
【図４】
2007331898.tif 000006
【図５】
2007331898.tif 000007